(57)【特許請求の範囲】
【請求項１】
コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、
前記コンロ横幅方向に隣接して並ぶ前記点消火ボタンの間に、中間部材が配設されたガスコンロであって、
前記中間部材が、前記コンロ横幅方向視において、前記中間部材の上面の形状が前記点消火ボタンの上面の形状に沿う形状で、
且つ、前記点消火ボタンの消火操作位置において、前記中間部材の前端が前記点消火ボタンの前端より後方に位置し、
前記中間部材の前方に、前記中間部材の左右両側に存在する前記点消火ボタンから横方向に膨出する膨出部が配設され、前記コンロ横幅方向視において、前記膨出部の前端と前記点消火ボタンの前端とが同位置に構成され、前記膨出部の前端から前記点消火ボタンの前端に亘り、前記点消火ボタンとは異なる色に形成された操作状態認識用表示体が設けられており、前記中間部材には、前記操作状態認識用表示体が設けられていないガスコンロ。
【発明の詳細な説明】
【技術分野】
【０００１】
本発明は、コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、前記コンロ横幅方向に隣接して並ぶ前記点消火ボタンの間に、中間部材が配設されたガスコンロに関する。
【背景技術】
【０００２】
上記ガスコンロは、コンロ横幅方向に隣接して並ぶ点消火ボタンの間に、中間部材が配設されるものであるから、ガスコンロの燃焼停止時に、使用者が意図せず使用者の手指が点消火ボタンに触れてしまったときにも、使用者の手指の移動が中間部材によって妨げられることになり、ガスコンロの燃焼停止時における不用意な点火操作が防止できる。
【０００３】
例えば、使用者が、コンロ横幅方向に隣接して並ぶ一対の点消火ボタンの内の一方を手指にて操作しようと意図したときに、使用者の意図に反して、コンロ横幅方向に隣接して並ぶ一対の点消火ボタンの内の他方に使用者の手指が触れてしまったときにも、用者の手指の移動が中間部材によって妨げられることで、使用者に意図によらないスコンロの燃焼停止時における不用意な点火操作が防止できる。（例えば、特許文献１参照。）
【先行技術文献】
【特許文献】
【０００４】
【特許文献１】特開２０１４−０４４０３０号公報
【発明の概要】
【発明が解決しようとする課題】
【０００５】
しかし、上記特許文献１に開示される中間部材の前端側部分の形状は、コンロ横幅方向視において点消火ボタンの前端側部分と同形状であるから、中間部材の前端側部分の位置と、中間部材の両側に位置する点消火ボタンの前端側部分の位置とがずれたときには、外観上の美観を損なうことになり、中間部材の前端側部分（一箇所）の位置と、中間部材の両側に位置する点消火ボタンの前端側部分（二箇所）の位置を精度よく合致させる、つまり、三箇所の前端側部分の位置を精度よく合致させる必要があり製造工程における管理が面倒なものであり改善が望まれていた。
【０００６】
本発明の目的は、中間部材の前端側部分（一箇所）の位置の管理に係る要求精度が軽減され、製造工程における管理が簡素化されたガスコンロを提供する点にある。
【課題を解決するための手段】
【０００７】
上記課題を解決するために、本発明のガスコンロは、コンロ横幅方向に並ぶ複数の点消火ボタンが、ガスコンロ本体の前面部に設けたボタン装着枠に対して、後端側上部を前記コンロ横幅方向に沿う軸心回りで回動自在に枢支させた状態で、且つ、前記ガスコンロ本体の前記前面部に設けたボタン挿通用開口を通して、前端側部分をコンロ前方側に突出させた状態で設けられ、前記コンロ横幅方向に隣接して並ぶ前記点消火ボタンの間に、中間部材が配設されたガスコンロであって、前記中間部材が、前記コンロ横幅方向視において、前記中間部材の上面の形状が前記点消火ボタンの上面の形状に沿う形状で、且つ、前記点消火ボタンの消火操作位置において、前記中間部材の前端が前記点消火ボタンの前端より後方に位置し、前記中間部材の前方に、前記中間部材の左右両側に存在する前記点消火ボタンから横方向に膨出する膨出部が配設され、前記コンロ横幅方向視において、前記膨出部の前端と前記点消火ボタンの前端とが同位置に構成され、前記膨出部の前端から前記点消火ボタンの前端に亘り、前記点消火ボタンとは異なる色に形成された操作状態認識用表示体が設けられており、前記中間部材には、前記操作状態認識用表示体が設けられていない点を特徴とする。
【０００８】
すなわち、本発明の第１特徴構成では、中間部材が、コンロ横幅方向視において、中間部材の上面の形状が点消火ボタンの上面の形状に沿う形状で、且つ、前記点消火ボタンの消火操作位置において、中間部材の前端が点消火ボタンの前端より後方に位置し、中間部材の前方に、中間部材の左右両側に存在する点消火ボタンから横方向に膨出する膨出部が配設されているので、中間部材の前端が、前記点消火ボタンの消火操作位置において中間部材の左右両側に存在する点消火ボタンの間から前方に露出しないことになる。そして、コンロ横幅方向視において、膨出部の前端と点消火ボタンの前端とが同位置に構成されるので、中間部材の左右両側に存在する点消火ボタンが一体的に視認されることになり、所謂二個一とした纏まった外観を呈することによる美観を生ずるものとなる。
【０００９】
従って、本発明の第１特徴構成によれば、中間部材の前端側部分の位置の管理に係る要求精度が軽減され、製造工程における管理が簡素化されたガスコンロとすることが可能となる。
【００１０】
本発明の第１特徴構成では、前記膨出部の前端から前記点消火ボタンの前端に亘り、前記点消火ボタンとは異なる色に形成された操作状態認識用表示体が設けられている。
【００１１】
膨出部の前端から点消火ボタンの前端に亘り、点消火ボタンとは異なる色に形成された操作状態認識用表示体が設けられているので、使用者が点消火ボタンの操作状態（点消火ボタンが消火位置にあるのか、点消火ボタンが点火位置にあるのかの状態）を適切に視認できる。
【００１２】
つまり、第１特徴構成によれば、使用者が点消火ボタンの操作状態を適切に視認できるガスコンロとすることが可能となる。
【発明の効果】
【００１３】
本発明の第１特徴構成によれば、中間部材の前端側部分の位置の管理に係る要求精度が軽減され、製造工程における管理が簡素化されたガスコンロとすることが可能となる。
また、第２特徴構成によれば、使用者が点消火ボタンの操作状態を適切に視認できるガスコンロとすることが可能となる。
【図面の簡単な説明】
【００１４】
【図１】本発明の一実施形態のガスコンロの斜視図。
【図２】本発明の一実施形態のガスコンロの要部正面図。
【図３】図２におけるＡ−Ａ断面を示す点消火ボタンが消火操作位置にあるときの要部側断面図。
【図４】図２におけるＡ−Ａ断面を示す点消火ボタンが点火操作位置にあるときの要部側断面図。
【図５】本発明の一実施形態のガスコンロの要部斜視図。
【図６】本発明の一実施形態のガスコンロの側面図。
【発明を実施するための形態】
【００１５】
以下、本発明に係るガスコンロにおける乱流形成装置の実施形態を図面に基づいて説明する。
図１に示すように、ガスコンロＧＣは、２口のガステーブルコンロであり、グリルＧを備え、グリルＧ内にはグリルバーナ３２（不図示）を備える。なお、本発明の適用はガステーブルコンロに限定されず、本発明は、ガスドロップインコンロにも適用可能である。
【００１６】
ガスコンロＧＣは、ガスコンロ本体Ｈの上面に２つのコンロバーナ３１を備え、ガスコンロ本体Ｈの前面部に、コンロバーナ３１の点消火を行うための点消火ボタン０２が配設されている。具体的には、ガスコンロ本体Ｈ前面の右側に、右コンロバーナ３１の点消火を行うための点消火ボタン０２と、グリルバーナ３２の点消火を行うための点消火ボタン０２とが二個一で一対となって配設されている。（図２参照。）
【００１７】
また、図１に示すように、ガスコンロ本体Ｈ前面の左側に、左コンロバーナ３１の点消火を行うための点消火ボタン０２と、ガスコンロＧＣに備える制御部（不図示）の電源となる電池を収納する電池収納部４１が配設されている。
【００１８】
以下に、本発明の特徴とするところを、右コンロバーナ３１の点消火を行うための点消火ボタン０２と、グリルバーナ３２の点消火を行うための点消火ボタン０２とを例示して、さらに具体的に説明する。
【００１９】
図３に示す、点消火ボタン０２がその消火操作位置にあるとき、つまり、点消火ボタンの消火操作位置においては、コンロバーナ３１への燃料ガスの通流を制御するガス弁ブロック０７に備えるスライダー０８が、点消火ボタン０２の後端によって後方に押圧されないように構成されるので、コンロバーナ３１に燃料ガスが供給されないコンロバーナ３１の消火状態に維持される。
【００２０】
これに対し、図４に示す、点消火ボタン０２がその点火操作位置にあるとき、つまり、点消火ボタンの点火操作位置においては、コンロバーナ３１への燃料ガスの通流を制御するガス弁ブロック０７に備えるスライダー０８が、点消火ボタン０２の後端によって後方に押圧されて、コンロバーナ３１に燃料ガスが供給されるコンロバーナ３１の点火状態となる。
【００２１】
図１、図２、図３、図４、図５に示すように、コンロ横幅方向に並ぶ複数の点消火ボタン０２が、ガスコンロ本体Ｈの前面部に設けたボタン装着枠Ｂ（図２、図３、図４）に対して、その後端側上部０２ｂをコンロ横幅方向に沿う軸心Ｑ回りで回動自在に枢支させた状態で、且つ、ガスコンロ本体Ｈの前面部に設けたボタン挿通用開口０６を通して、前端側部分をコンロ前方側に突出させた状態で設けられている。なお、図５には、グリル用点消火ボタン及び右コンロ用点消火ボタン０２共に点火操作位置にあるときを例示してある。
【００２２】
そして、コンロ横幅方向に隣接して並ぶ点消火ボタン０２の間に、中間部材０３が配設されており、中間部材０３が、コンロ横幅方向視において、中間部材０３の上面の形状が点消火ボタン０２の上面の形状に沿う形状に構成されている。（図６参照。）
【００２３】
また、図３に示す点消火ボタン０２の消火操作位置において、中間部材０３の前端０３ａは、点消火ボタン０２の前端０２ａより後方に位置している。さらに、図２に示すように、中間部材０３の前方には、この中間部材０３の左右両側に存在する点消火ボタン０２から横方向に膨出する膨出部０４が配設されている。詳しくは、この中間部材０３の右側に位置する点消火ボタン０２から左方向に膨出する膨出部０４が配設され、この中間部材０３の左側に位置する点消火ボタン０２から右方向に膨出する膨出部０４が配設されている。
【００２４】
そして、図５に示すように、コンロ横幅方向視において、膨出部０４の前端０４ａと点消火ボタン０２の前端０２ａとは、同位置となるように構成されている。
【００２５】
本実施形態のガスコンロＧＣは、以上のように構成され、中間部材０３の前端０３ａの位置の管理制度が軽減され、製造工程における管理を簡素化することが可能である。
【００２６】
また、本実施形態のガスコンロＧＣでは、図１、図２、図５に示すように、膨出部０４の前端０４ａから点消火ボタン０２の前端０２ａに亘り、点消火ボタン０２とは異なる色に形成された、操作状態認識用表示体０５が設けられている。
【００２７】
膨出部０４の前端０４ａから点消火ボタン０２の前端０２ａに亘り、点消火ボタン０２とは異なる色に形成された操作状態認識用表示体０５が設けられているので、使用者が点消火ボタン０２の操作状態、つまり、点消火ボタン０２が消火位置にあるのか、点消火ボタン０２が点火位置にあるのかの状態を適切に視認でき、使い勝手が良い。
【００２８】
なお、膨出部０４の前端０４ａから点消火ボタン０２の前端０２ａに亘り、点消火ボタン０２とは異なる色に形成された操作状態認識用表示体０５を設ける構成は任意の構成であり、操作状態認識用表示体０５を設けない構成としてもよい。
【００２９】
本発明は上記実施形態に限定されるものではなく、発明の範囲内において種々の応用、変形を加えることが可能である。
【符号の説明】
【００３０】
０２    点消火ボタン
０２ａ  点消火ボタンの前端
０２ｂ  点消火ボタンの後端上部
０３    中間部材
０３ａ  中間部材の前端
０４    膨出部
０４ａ  膨出部の前端
０５    操作状態認識用表示体
０６    ボタン挿通用開口
０７    ガス弁ブロック
０８    スライダー
３１    コンロバーナ
３２    グリルバーナ
４１    電池収納部
Ｂ      ボタン装着枠
ＧＣ    ガスコンロ
Ｈ      ガスコンロ本体
Ｑ      軸心
【図１】
0006590549.tif 000002
【図２】
0006590549.tif 000003
【図３】
0006590549.tif 000004
【図４】
0006590549.tif 000005
【図５】
0006590549.tif 000006
【図６】
0006590549.tif 000007